(57)【特許請求の範囲】
【請求項１】
デバイス間（Ｄ２Ｄ）ユーザ機器（ＵＥ）によって実行されるワイヤレス通信のための方法であって、
Ｄ２Ｄデータ送信およびスケジューリング割り当て（ＳＡ）送信のための時間リソースのブロックを識別することと、
周期的ＳＡ送信がない場合、前記ＳＡ送信と時間リソースの前記ブロックとの間の所定の関係を識別することと、
時間リソースの前記ブロック全体から、ＳＡを送信するための前記時間リソースのサブセットを選択することと、
前記時間リソースの前記サブセットを使用して、および前記所定の関係に従って、前記ＳＡ送信を送信することと、
を備える、方法。
【請求項２】
前記Ｄ２Ｄデータ送信および前記ＳＡ送信のための周波数リソースのセットを識別することと、
前記ＳＡを送信するための前記周波数リソースのサブセットを選択することと
をさらに備え、ここにおいて、前記周波数リソースの前記サブセットは、周波数リソースの前記セットの定義されたセグメント内に位置する、請求項１に記載の方法。
【請求項３】
周波数リソースの前記サブセットは、第１のＳＡ送信を送信するための周波数リソースの第１のサブセット、および第２のＳＡ送信を送信するための周波数リソースの第２のサブセットを備える、請求項２に記載の方法。
【請求項４】
周波数リソースの前記第１のサブセットを使用して、前記第１のＳＡ送信を送信することと、
周波数リソースの前記第２のサブセットを使用して、前記第２のＳＡ送信を送信することと
をさらに備える、請求項３に記載の方法。
【請求項５】
周波数リソースの前記第２のサブセットは、周波数リソースの前記第１のサブセットと周波数リソースの前記第２のサブセットとの間の定義された関係に基づいて決定される、請求項３に記載の方法。
【請求項６】
周波数リソースの前記セットは、複数の周波数サブ帯域を備え、周波数リソースの前記第１のサブセットは、前記複数の周波数サブ帯域の第１のサブセットに位置し、周波数リソースの前記第２のサブセットは、前記複数の周波数サブ帯域の前記第１のサブセットとは異なる前記複数の周波数サブ帯域の第２のサブセットに位置する、請求項３に記載の方法。
【請求項７】
周波数リソースの前記セットは、複数のリソースブロックを備え、周波数リソースの前記第１のサブセットは、前記複数のリソースブロックの第１のサブセットに位置し、周波数リソースの前記第２のサブセットは、前記複数のリソースブロックの前記第１のサブセットとは異なる前記複数のリソースブロックの第２のサブセットに位置する、請求項３に記載の方法。
【請求項８】
周波数リソースの前記第１のサブセットは、偶数番号を付されたリソースブロックに位置し、周波数リソースの前記第２のサブセットは、奇数番号を付されたリソースブロックに位置する、請求項７に記載の方法。
【請求項９】
前記ＳＡは、前記Ｄ２Ｄデータ送信のために使用されることとなる、前記ＳＡ送信に続く時間リソースを示すビットマップを含む、請求項１に記載の方法。
【請求項１０】
前記ビットマップは、最後のＳＡ送信に続く第１のサブフレームに適用される、請求項９に記載の方法。
【請求項１１】
前記ビットマップは、前記Ｄ２Ｄデータを送信するために使用されることとなる送信の開始のために最後のＳＡ送信の後オフセットを適用する、請求項９に記載の方法。
【請求項１２】
前記ＳＡは、前記Ｄ２Ｄデータの送信の数を示し、前記ビットマップは、前記Ｄ２Ｄデータの前記送信の各々について時間リソースを示す、請求項９に記載の方法。
【請求項１３】
少なくとも１つの他のＤ２Ｄ ＵＥの他のＳＡ送信を検出することをさらに備え、
ここにおいて、前記ＳＡを送信するための前記時間リソースの前記サブセットを選択することは、前記他のＳＡ送信によって示されるリソース以外のリソースを選択することを備える、請求項１に記載の方法。
【請求項１４】
ワイヤレス通信のための装置であって、
デバイス間（Ｄ２Ｄ）データ送信およびスケジューリング割り当て（ＳＡ）送信のための時間リソースのブロックを識別するための手段と、
周期的ＳＡ送信がない場合、前記ＳＡ送信と時間リソースの前記ブロックとの間の所定の関係を識別するための手段と、
時間リソースの前記ブロック全体から、ＳＡを送信するための前記時間リソースのサブセットを選択するための手段と、
時間リソースの前記サブセットを使用して、および前記所定の関係に従って、前記ＳＡ送信を送信するための手段と
を備える、装置。
【請求項１５】
ワイヤレス通信のためのコードを記憶するコンピュータ読み取り可能な媒体であって、前記コードは、実行されると、コンピュータに、請求項１ないし１３のいずれか一項に記載の方法を実行させる命令を備える、コンピュータ読み取り可能な媒体。
【発明の詳細な説明】
【相互参照】
【０００１】
[0001]本特許出願は、２０１６年６月１３日出願の「Scheduling Assignment Transmissions in Device-to-Device Communications」と題するＰａｔｉｌ他による米国特許出願第１５／１８１，２０４号、および２０１５年７月２日出願  の「Scheduling Assignment Transmissions in Device-to-Device Communications」と題するＰａｔｉｌ他による米国仮特許出願第６２／１８８，３０２号に対する優先権を主張し、その各々は、その譲渡人に譲渡される。
【背景技術】
【０００２】
[0002]以下は、一般に、ワイヤレス通信に関し、より具体的には、デバイス間（Ｄ２Ｄ）通信におけるスケジューリング割り当て（ＳＡ）送信に関する。
【０００３】
[0003]ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートすることができ得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム）を含む。
【０００４】
[0004]例として、ワイヤレス多元接続通信システムは、多数の基地局を含み得、各々は、別名ユーザ機器（ＵＥ）として知られている複数の通信デバイスのための通信を同時にサポートする。基地局は、（例えば、基地局からＵＥへの送信のための）ダウンリンクチャネルおよび（例えば、ＵＥから基地局への送信のための）アップリンクチャネル上で、ＵＥと通信し得る。ＵＥは、ダイレクトＤ２Ｄワイヤレスリンク上でＤ２Ｄ通信を使用して互いに直接通信し得る。
【０００５】
[0005]様々な実施が、ライセンスされた（licensed）周波数スペクトル、アンライセンス（unlicensed）の周波数スペクトル、またはそれらの組み合わせの帯域におけるＤ２Ｄ通信を提供する。しかしながら、アンライセンスの周波数スペクトル帯域における通信は、リソース利用、媒体アクセスプロシージャ、等に関する様々な必要条件（requirements）に従い得る。さらに、Ｄ２Ｄ通信は、パケットの受信の比較的長いレイテンシを時々もたらし得るプロトコルを確立している。多数のＤ２Ｄ  ＵＥについて、通信は、比較的レイテンシ鈍感（relatively latency insensitive）であることがある。しかしながら、通信がレイテンシに敏感であるケースでは、そのような比較的長いレイテンシは望ましくないことがある。
【発明の概要】
【０００６】
[0006]例えば、本開示は、デバイス間（Ｄ２Ｄ）通信におけるスケジューリング割り当て（ＳＡ）送信のための技法に関する。本開示の様々な態様は、Ｄ２Ｄユーザ機器（ＵＥ）が、時間リソースのブロック全体のサブセットだけというよりむしろ、ＳＡ送信のために時間リソースのブロック全体を使用し得ることを提供する。よって、Ｄ２Ｄ  ＵＥは、ＳＡ送信を送るために特定された時間リソースを待たなければならないのに対して、Ｄ２Ｄデータが別のＤ２Ｄ  ＵＥに送信されることとなることを決定した後、比較的速くＳＡ送信を送信し得る。次いで、Ｄ２Ｄデータは、ＳＡ送信に続いて送信され得、これにより、Ｄ２Ｄデータの送信についてのレイテンシを低減する。このような低減されたレイテンシは、安全目的のために、比較的低いレイテンシ通信に依存し得るアプリケーションにとって望ましいことがある。例えば、車両が、比較的高いレートのスピードで動きながら、アクションを取るのに十分な時間で、ある車両から別の車両にデータを提供するために、車車間（Ｖ２Ｖ）送信が比較的低いレイテンシを有することが望ましくあり得る。
【０００７】
[0007]いくつかの例では、Ｄ２Ｄ  ＵＥは、Ｄ２ＤデータおよびＳＡ送信のための時間リソースを識別し得、そこにおいて、ＳＡ送信のための時間リソースは、時間リソースの利用可能なブロックからの任意の時間のリソースから選択され得る。いくつかの例では、Ｄ２Ｄ  ＵＥは、Ｄ２Ｄデータを送信するより前に、２つのＳＡ送信を完了し得る。２つのＳＡ送信は、周期的ＳＡ送信がない場合、時間リソースのブロックとＳＡ送信との間の所定の関係に基づいて完了され得る。いくつかの例では、ＳＡ送信は、Ｄ２Ｄデータ送信のために使用されることとなる、ＳＡ送信に続く時間リソースを示すビットマップを含み得る。ある特定の例では、Ｄ２Ｄ  ＵＥは、他のＤ２Ｄ  ＵＥの他のＳＡ送信を検出し、その他のＵＥ送信と衝突しないだろう、ＳＡを送信するための時間リソースを選択するために、そのような他のＳＡ送信からの情報を使用し得る。
【０００８】
[0008]ワイヤレス通信の方法が説明される。方法は、Ｄ２Ｄデータ送信およびＳＡ送信のための時間リソースのブロックを識別することと、周期的ＳＡ送信がない場合、時間リソースのブロックとＳＡ送信との間の所定の関係を識別することと、時間リソースのブロック全体から、ＳＡを送信するための時間リソースのサブセットを選択することと、時間リソースのサブセットを使用して、および所定の関係に従って、ＳＡ送信を送信することとを含み得る。
【０００９】
[0009]ワイヤレス通信のための装置が説明される。装置は、Ｄ２Ｄデータ送信およびＳＡ送信のための時間リソースのブロックを識別するための手段と、周期的ＳＡ送信がない場合、時間リソースのブロックとＳＡ送信との間の所定の関係を識別するための手段と、時間リソースのブロック全体から、ＳＡを送信するための時間リソースのサブセットを選択するための手段と、時間リソースのサブセットを使用して、および所定の関係に従って、ＳＡ送信を送信するための手段とを含み得る。
【００１０】
[0010]ワイヤレス通信のためのさらなる装置が説明される。装置は、プロセッサと、プロセッサと電子通信状態にあるメモリと、メモリに記憶された命令とを含み得、命令は、プロセッサによって実行されたとき、装置に、Ｄ２Ｄデータ送信およびＳＡ送信のための時間リソースのブロックを識別することと、周期的ＳＡ送信がない場合、時間リソースのブロックとＳＡ送信との間の所定の関係を識別することと、時間リソースのブロック全体から、ＳＡを送信するための時間リソースのサブセットを選択することと、時間リソースのサブセットを使用して、および所定の関係に従ってＳＡ送信を送信することとを行わせるように動作可能である。
【００１１】
[0011]ワイヤレス通信のためのコードを記憶する非一時的なコンピュータ読み取り可能な媒体が説明される。コードは、Ｄ２Ｄデータ送信およびＳＡ送信のための時間リソースのブロックを識別することと、周期的ＳＡ送信がない場合、時間リソースのブロックとＳＡ送信との間の所定の関係を識別することと、時間リソースのブロック全体から、ＳＡを送信するための時間リソースのサブセットを選択することと、時間リソースのサブセットを使用して、および所定の関係に従って、ＳＡ送信を送信することとを行うように実行可能である命令を含み得る。
【００１２】
[0012]ここで説明される方法、装置、または非一時的なコンピュータ読み取り可能な媒体のいくつかの例は、Ｄ２Ｄデータ送信およびＳＡ送信のための周波数リソースのセットを識別することと、ＳＡを送信するための周波数リソースのサブセットを選択することとのためのプロセス、特徴、手段、または命令をさらに含み得、ここにおいて、周波数リソースのサブセットは、周波数リソースのセットの定義されたセグメント内に位置する。加えてまたは代替的に、いくつかの例では、周波数リソースのサブセットは、第１のＳＡ送信を送信するための周波数リソースの第１のサブセット、および第２のＳＡ送信を送信するための周波数リソースの第２のサブセットを備える。
【００１３】
[0013]ここで説明される方法、装置、または非一時的なコンピュータ読み取り可能な媒体のいくつかの例は、周波数リソースの第１のサブセットを使用して第１のＳＡ送信を送信することと、周波数リソースの第２のサブセットを使用して第２のＳＡ送信を送信することとのためのプロセス、特徴、手段、または命令をさらに含み得る。加えて、または代替的に、いくつかの例では、第２のＳＡ送信は、第１のＳＡ送信の再送信である。
【００１４】
[0014]ここで説明される、方法、装置、または非一時的なコンピュータ読み取り可能な媒体のいくつかの例では、周波数リソースの第２のサブセットは、周波数リソースの第１のサブセットと周波数リソースの第２のセットとの間の定義された関係に少なくとも部分的に基づいて決定される。加えてまたは代替的に、いくつかの例では、周波数リソースのセットは、複数の周波数サブ帯域を備え、周波数リソースの第１のサブセットは、複数の周波数サブ帯域の第１のサブセットに位置し、ここにおいて、周波数リソースの第２のサブセットは、複数の周波数サブ帯域の第１のサブセットとは異なる複数の周波数サブ帯域の第２のサブセットに位置する。
【００１５】
[0015]ここで説明される方法、装置、または非一時的なコンピュータ読み取り可能な媒体のいくつかの例では、周波数リソースのセットは、複数のリソースブロックを備え、周波数リソースの第１のサブセットは、複数のリソースブロックの第１のサブセットに位置し、ここにおいて、周波数リソースの第２のサブセットは、複数のリソースブロックの第１のサブセットとは異なる複数のリソースブロックの第２のサブセットに位置する。加えてまたは代替的に、いくつかの例では、周波数リソースの第１のサブセットは、偶数番号を付されたリソースブロックに位置し、周波数リソースの第２のサブセットは、奇数番号を付されたリソースブロックに位置する。
【００１６】
[0016]ここで説明される方法、装置、または非一時的なコンピュータ読み取り可能な媒体のいくつかの例は、ＳＡを送信するためのプロセス、特徴、手段、または命令をさらに含み得、ここにおいて、ＳＡは、Ｄ２Ｄデータ送信のために使用されることとなる、ＳＡ送信に続く時間リソースを示すビットマップを含む。加えてまたは代替的に、いくつかの例では、ビットマップは、最後のＳＡ送信に続く第１のサブフレームに適用される。
【００１７】
[0017]ここで説明される方法、装置、または非一時的なコンピュータ読み取り可能な媒体のいくつかの例では、ビットマップは、定義された数のビットを備え、ここにおいて、ビットマップの送信は、送信の数がビットマップにおいて識別された時間リソースを超えて拡張するとき、繰り返される。加えてまたは代替的に、いくつかの例では、ビットマップは、Ｄ２Ｄデータを送信するために使用されることとなる送信の開始のために最後のＳＡ送信の後オフセットを適用する。
【００１８】
[0018]ここで説明される方法、装置、または非一時的なコンピュータ読み取り可能な媒体のいくつかの例では、ＳＡは、Ｄ２Ｄデータの送信の数を示し、ビットマップは、Ｄ２Ｄデータの送信の各々についての時間リソースを示す。加えてまたは代替的に、いくつかの例は、少なくとも１つのＤ２Ｄユーザ機器（ＵＥ）の他のＳＡ送信を検出するためのプロセス、特徴、手段、または命令を含み得、ここにおいて、ＳＡを送信するための時間リソースのサブセットを選択することは、他のＳＡ送信によって示されるリソース以外のリソースを選択することを備える。加えてまたは代替的に、時間リソースのブロックとＳＡ送信との間の所定の関係を識別することは、他のＳＡ送信によって示されるリソースに少なくとも部分的に基づき得る。
【００１９】
[0019]ここで説明される方法、装置、または非一時的なコンピュータ読み取り可能な媒体のいくつかの例では、時間リソースのブロックとＳＡ送信との間の所定の関係は、基地局によってシグナリングされ得る。
【００２０】
[0020]ここで説明される方法、装置、または非一時的なコンピュータ読み取り可能な媒体のいくつかの例では、Ｄ２Ｄデータ送信およびＳＡ送信は、Ｖ２Ｖ通信である。
【００２１】
[0021]前述は、以下の詳細な説明がより良く理解され得るために、本開示に従った例の特徴および技術的利点をどちらかといえば広く概説している。追加の特徴および利点が以下に説明される。開示される概念および特定の例は、本開示の同じ目的を実行するための他の構造を修正または設計するための基礎として容易に利用され得る。そのような同等の構造（constructions）は、添付の特許請求の範囲の範囲から逸脱しない。ここで開示される概念の特性は、関連する利点と共に、それらの構成と動作の方法との両方に関して、添付の図に関連して検討されたとき、以下の説明からより良く理解されるだろう。図の各々は、例示および説明の目的のために提供され、特許請求の範囲の限定の定義として提供されるものではない。
【００２２】
[0022]本発明の本質および利点のさらなる理解は、以下の図面を参照することによって実現され得る。添付の図では、同様のコンポーネントまたは特徴は、同じ参照ラベルを有し得る。さらに、同じものの様々なコンポーネントは、参照ラベルに、ダッシュと、同様のコンポーネント同士を区別する第２のラベルとを続けることによって区別され得る。本明細書において第１の参照ラベルのみが使用されている場合、第２の参照ラベルに関係なく同じ第１の参照ラベルを有する同様のコンポーネントのいずれか１つに、本説明が適用可能である。
【図面の簡単な説明】
【００２３】
【図１】[0023]本開示の様々な態様に従った、デバイス間通信におけるスケジューリング割り当て送信をサポートするワイヤレス通信システムの例を例示する。
【図２】[0024]本開示の様々な態様に従った、デバイス間通信におけるスケジューリング割り当て送信をサポートするワイヤレス通信サブシステムの例を例示する。
【図３】[0025]本開示の様々な態様に従った、デバイス間通信におけるスケジューリング割り当て送信をサポートするデバイス間送信リソースの例を例示する。
【図４】[0026]本開示の様々な態様に従った、デバイス間通信におけるスケジューリング割り当て送信をサポートする処理フローの例を例示する。
【図５】[0027]本開示の様々な態様に従った、デバイス間通信におけるスケジューリング割り当て送信をサポートする別の処理フローの例を例示する。
【図６】[0028]本開示の様々な態様に従った、デバイス間通信におけるスケジューリング割り当て送信をサポートするワイヤレスデバイスのブロック図を示す。
【図７】本開示の様々な態様に従った、デバイス間通信におけるスケジューリング割り当て送信をサポートするワイヤレスデバイスのブロック図を示す。
【図８】本開示の様々な態様に従った、デバイス間通信におけるスケジューリング割り当て送信をサポートするワイヤレスデバイスのブロック図を示す。
【図９】[0029]本開示の様々な態様に従った、デバイス間通信におけるスケジューリング割り当て送信をサポートするユーザ機器を含むシステムのブロック図を例示する。
【図１０】[0030]本開示の様々な態様に従った、デバイス間通信におけるスケジューリング割り当て送信のための方法を例示する。
【図１１】本開示の様々な態様に従った、デバイス間通信におけるスケジューリング割り当て送信のための方法を例示する。
【図１２】本開示の様々な態様に従った、デバイス間通信におけるスケジューリング割り当て送信のための方法を例示する。
【図１３】本開示の様々な態様に従った、デバイス間通信におけるスケジューリング割り当て送信のための方法を例示する。
【図１４】本開示の様々な態様に従った、デバイス間通信におけるスケジューリング割り当て送信のための方法を例示する。
【詳細な説明】
【００２４】
[0031]技法は、デバイス間（device-to-device）（Ｄ２Ｄ）ユーザ機器（ＵＥ）が、時間リソースのブロック全体のサブセットだけというよりむしろ、スケジューリング割り当て（ＳＡ）送信のための時間リソースのブロック全体を使用し得る点で、説明される。上述されたように、いくつかの展開では、Ｄ２Ｄデバイスは、伝統的に、ＳＡ送信のために使用され得る無線フレーム送信のある特定のサブフレームを有する。例えば、いくつかの展開では、Ｄ２Ｄ無線フレームの８つのサブフレームは、ＳＡ送信について指定され、その後にＤ２Ｄデータ送信について指定される多数のサブフレームが続き得る。いくつかの例では、ＵＥは、４０ｍｓに１回ＳＡを送信し得、ＳＡが２回送信されるケースでは、ＵＥがＤ２Ｄデータを送信する前、８０ｍｓであり得る。言及したように、いくつかのアプリケーションでは、そのようなレイテンシは、安全考慮のため、望ましくないことがある。例えば、Ｖ２Ｖ通信では、車両が受信されたデータに基づいてアクションをとるための追加の時間で車両間でデータを提供するのを助けるために、１００ｍｓ以内のパケットの送信および受信を提供することは有益であり得る。Ｖ２Ｖ通信のためのいくつかの提案は、１００ｍｓ以下のパケットの受信の全体的なレイテンシと、パケットが高い信頼性で数百メートル内で復号可能であるべきこととを提案している。そのような提案の下でＳＡ送信ウィンドウを待つことは、そのような全体的なレイテンシがいくつかのパケットについて達成されないことがある、より高い可能性（likelihood）をもたらし得る。さらに、いくつかのＤ２Ｄ  ＵＥは、半二重を使用して送信し得、それは、送信ＵＥおよび受信ＵＥの両方が、ＳＡまたはデータ送信のために同じ時間リソースを使用する場合、受信ＵＥによって受信されないパケットをもたらし得る。
【００２５】
[0032]様々な態様では、本開示は、Ｄ２Ｄ  ＵＥが、ＳＡ送信を送るために特定された時間リソースを待たなければならないのに対して、Ｄ２Ｄデータが別のＤ２Ｄ  ＵＥに送信されることとなることを決定した後、比較的速くＳＡ送信を送信し得ることを提供する。次いで、Ｄ２Ｄデータは、ＳＡ送信に続いて送信され得、これにより、Ｄ２Ｄデータの送信についてのレイテンシを低減する。いくつかの例では、Ｄ２Ｄ  ＵＥは、Ｄ２ＤデータおよびＳＡ送信のための時間リソースを識別し得、そこにおいて、ＳＡ送信のための時間リソースは、時間リソースの利用可能なブロックからの任意の時間リソースから選択され得、例えば、そこには周期的ＳＡ時間リソースの観念はない。いくつかの例では、Ｄ２Ｄ  ＵＥは、Ｄ２Ｄデータを送信するより前に、２つのＳＡ送信を完了し得る。ＳＡ送信は、時間リソースとＳＡ送信との間の所定の関係に従い得る。いくつかの例では、ＳＡ送信は、Ｄ２Ｄデータ送信のために使用されることとなる、ＳＡ送信に続く時間リソースを示すビットマップを含み得る。ある特定の例では、Ｄ２Ｄ  ＵＥは、他のＤ２Ｄ  ＵＥの他のＳＡ送信を検出し、その他のＵＥ送信と衝突しないだろう、ＳＡを送信するための時間リソースを選択するために、そのような他のＳＡ送信からの情報を使用し得る。加えて、ここで説明されるような技法はまた、所与の時間リソース上でのＳＡを送信する２つのＵＥの可能性を低減し得、よって、Ｄ２Ｄ送信上の衝突の可能性を低減する。
【００２６】
[0033]開示の態様は、初めに、ワイヤレス通信システムのコンテクストにおいて説明される。次いで、特定の例は、Ｄ２Ｄ通信のために説明される。本開示のこれらのおよび他の態様は、さらに、デバイス間通信におけるスケジューリング割り当て送信に関する装置図、システム図、およびフローチャートによって例示され、およびそれらを参照して説明される。
【００２７】
[0034]図１は、本開示の様々な態様に従ったワイヤレス通信システム１００の例を例示する。ワイヤレス通信システム１００は、基地局１０５、ＵＥ１１５、およびコアネットワーク１３０を含む。いくつかの例において、ワイヤレス通信システム１００は、ロングタームエボリューション（ＬＴＥ）／ＬＴＥ−アドバンスド（ＬＴＥ−Ａ）ネットワークであり得る。
【００２８】
[0035]基地局１０５は、１つまたは複数の基地局アンテナを介してＵＥ１１５とワイヤレスに通信し得る。各基地局１０５は、それぞれの地理的カバレッジエリア１１０のための通信カバレッジを提供し得る。ワイヤレス通信システム１００に示される通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散し得、各ＵＥ１１５は、固定式または移動式であり得る。ＵＥ１１５はまた、モバイル局、加入者局、遠隔ユニット、ワイヤレスデバイス、アクセス端末、ハンドセット、ユーザエージェント、クライアント、または何らかの他の適切な専門用語で呼ばれ得る。ＵＥ１１５はまた、セルラフォン、ワイヤレスモデム、ハンドヘルドデバイス、パーソナルコンピュータ、タブレット、パーソナル電子デバイス、マシンタイプ通信（ＭＴＣ）デバイス、または同様のものであり得る。
【００２９】
[0036]基地局１０５は、コアネットワーク１３０と、および互いに通信し得る。例えば、基地局１０５は、バックホールリンク（backhaul links）１３２（例えば、Ｓ１、等）を通じてコアネットワーク１３０とインタフェースし得る。基地局１０５は、直接的または間接的（例えば、コアネットワーク１３０を通じて）のいずれかで、バックホールリンク１３４（例えば、Ｘ２、等）上で互いに通信し得る。基地局１０５は、ＵＥ１１５との通信のための無線構成およびスケジューリングを行い得るか、または基地局コントローラ（示されない）の制御下で動作し得る。いくつかの例では、基地局１０５は、マクロセル、スモールセル、ホットスポット、または同様のものであり得る。基地局１０５はまた、ｅノードＢ（ｅＮＢ）１０５と呼ばれ得る。
【００３０】
[0037]ワイヤレス通信リンク１４５はまた、Ｄ２Ｄ通信として知られる構成においてＵＥ１１５間で確立され得る。Ｄ２Ｄ通信を利用するＵＥ１１５のグループのうちの１つまたは複数は、セルのカバレッジエリア１１０内にあり得る。そのようなグループ中の他のＵＥ１１５は、セルのカバレッジエリア１１０の外側にあるか、またはそうでなければ、基地局１０５からの送信を受信することができないことがある。いくつかのケースでは、Ｄ２Ｄ通信を介して通信するＵＥ１１５のグループは、各ＵＥ１１５が、それにおいてグループ中の他の全てのＵＥ１１５に送信する一対多（one-to-many）（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５から独立して実行される。２つの１１５間の直接的なＤ２Ｄ通信は、１ホップＤ２Ｄ通信と呼ばれ得る。リレー（例えば、送信ＵＥと受信ＵＥとの間の別のＵＥ１１５）を通じての２つのＵＥ１１５間のＤ２Ｄ通信は、２ホップＤ２Ｄ通信と呼ばれ得る。
【００３１】
[0038]ＵＥ１１５は、ワイヤレス通信システム１００全体にわたって分散し得、各ＵＥ１１５は、固定式または移動式であり得る。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な専門用語で呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、または同様のものであり得る。ＵＥ１１５は、マクロｅＮＢ、ピコｅＮＢ、フェムトｅＮＢ、リレー、および同様のものと通信することができ得る。ＵＥ１１５は、Ｄ２Ｄ通信を使用して、リレーを通じて、または直接的に他のＵＥと通信することができ得る。
【００３２】
[0039]上述されたように、本開示のいくつかの態様では、ＵＥ１１５は、Ｄ２ＤデータおよびＳＡ送信のための時間リソースを識別し得、そこにおいて、ＳＡ送信のための時間リソースは、時間リソースの利用可能なブロックからの任意の時間リソースから選択され得る。Ｄ２Ｄ  ＳＡおよびデータ送信のための様々な実例的な技法は、図２−１４を参照して説明される。
【００３３】
[0040]図２は、本開示の様々な態様に従った、デバイス間通信におけるスケジューリング割り当て送信のためのワイヤレス通信サブシステム２００の例を例示する。ワイヤレス通信サブシステム２００は、第１のＤ２Ｄ  ＵＥ１１５−ａ、第２のＤ２Ｄ  ＵＥ１１５−ｂ、および第３のＤ２Ｄ  ＵＥ１１５−ｃを含み得、それは、図１を参照して説明されるＵＥ１１５の例であり得る。第１のＤ２Ｄ  ＵＥ１１５−ａは、カバレッジエリア２０５を有し、それぞれ通信リンク１４５−ａおよび１４５−ｂを介して、第２のＤ２Ｄ  ＵＥ１１５−ｂおよび第３のＤ２Ｄ  ＵＥ１１５−ｃと通信し得る。加えて、第２のＤ２Ｄ  ＵＥ１１５−ｂおよび第３のＤ２Ｄ  ＵＥ１１５−ｃは、通信リンク１４５−ｃを介して通信し得る。通信リンク１４５は、共有（例えば、アンライセンスの）無線周波数スペクトル帯域において共有チャネルを使用し得、専用（例えば、ライセンスされた）無線周波数スペクトル帯域を使用し得、またはそれらの組み合わせを使用し得る。
【００３４】
[0041]図２の例では、Ｄ２Ｄ  ＵＥ１１５は、車両の動作に関連するデータを送信し得る車両デバイスであり得る。例えば、第２のＤ２Ｄ  ＵＥ１１５−ｂは、車両のスピード、および車両方向、スピード、またはそれらの組み合わせの任意の変化に関連する情報を提供し得る。第２のＤ２Ｄ  ＵＥ１１５ーｂは、車両がブレーキをかけていると決定する場合、第２のＤ２Ｄ  ＵＥ１１５−ｂは、他のＤ２Ｄ  ＵＥ１１５にそのような情報を送信し得、それは、それらのそれぞれの操作者（operators）に警告し得、または自主的なアクションを取り得る。車両が、幹線道路（highway）で比較的速いスピードで進み得ると仮定すると、他の車両に高められた（enhanced）応答時間を提供するために、比較的低いレイテンシでそのような情報を提供することが望ましいだろう。上述されたように、本開示の様々な態様に従ったＤ２Ｄ  ＵＥ１１５は、比較的低いレイテンシでＳＡ送信およびデータ送信を送信し得る。いくつかの例では、ＳＡリソースは、Ｄ２Ｄ通信のために使用される全ての利用可能な時間リソースから選択され得る。そのようなＤ２Ｄ通信のための専用スペクトルのケースでは、これは、全ての時間リソースが、Ｄ２Ｄ  ＳＡ送信またはデータ送信のために利用可能であり得ることを意味する。そのような技法は、ＳＡ送信のための周期的スケジューリングおよび／または専用時間リソースを提供するシステムに対して低減されたレイテンシを提供し得る。
【００３５】
[0042]図３は、本開示の様々な態様に従った、Ｄ２Ｄ通信におけるスケジューリング割り当て送信をサポートするＤ２Ｄ送信リソース３００の例を例示する。Ｄ２Ｄ送信リソース３００は、図１−２を参照して説明されたＵＥ１１５および基地局１０５のような、ＵＥと基地局との間の送信のために、およびＤ２Ｄ  ＵＥ間のＳＡ送信およびデータ送信のために使用され得る。図３の例では、Ｄ２Ｄ送信リソース３００は、多数のサブフレーム３１０を含み得る無線フレームリソース３０５を含み得る。各サブフレーム３１０は、時間のある特定の量を占め得、よって、時間リソース３２０は、多数の利用可能なサブフレーム３１０から成り得る。各サブフレーム３１０は、異なる周波数リソース３１５を占め得る多数のリソースブロック（ＲＢ）を含み得る。例えば、ＲＢは、周波数サブ帯域またはトーンのセットを使用して送信され得る。上述されたように、様々な例に従ったＳＡ送信は、時間リソース３２０のブロック全体に及び得る時間リソース３２０を使用して送信され得る。同じように、様々な例に従ったデータ送信は、時間リソース３２０のブロック全体に及び得る時間リソース３２０を使用して送信され得る。
【００３６】
[0043]いくつかの例では、ある特定の周波数リソース３１５は、ＳＡ送信について指定され得る。このように、Ｄ２Ｄ  ＵＥは、ＳＡ送信のためのある特定の周波数リソースをモニタリングすることがあり、およびデータが他のリソースを使用して送信されることとなることをＳＡ送信が示すまで、他の周波数リソースをモニタリングしないことがある。さらに、上述されたように、いくつかの例では、Ｄ２Ｄ  ＵＥは、２つの別個のＳＡ送信を送信し得る。そのような送信は、異なる周波数リソースプールに位置し得、よって、第１のＳＡ送信が受信される場合、Ｄ２Ｄ  ＵＥは、第２のＳＡ送信について特定のロケーションを見ることを知り得、いくつかの例では、２つの送信を組み合わせ、ＳＡ送信において情報を成功して受信および復号することの高められた可能性を提供し得る。
【００３７】
[0044]いくつかの例では、Ｄ２Ｄ  ＵＥは、ＳＡ送信と時間リソース３２０との間の所定の関係に従って、ＳＡ送信を送信し得る。所定の関係は、２つの別個のＳＡ送信の分離またはタイミングを含み得る。所定の関係は、Ｄ２Ｄ  ＵＥによってアプリオリ（a priori）に知られ得、基地局によってシグナリングされ得、および／または他のＳＡ送信をモニタリングするＤ２Ｄ  ＵＥに基づき得る。例えば、所定の関係は、第１のＳＡが送信された後、第２のＳＡがどのサブフレーム送信されるか、どの周波数帯域において第１および第２のＳＡが送信されるか、等を含み得る。よって、所定の関係は、Ｄ２Ｄ  ＵＥがＳＡ送信のために使用するパラメータを示し得る。
【００３８】
[0045]図３の例では、第１のＵＥは、サブフレーム３１０−ａおよび３１０−ｂにおいてＳＡ送信３２５を送信し得、第２のＵＥは、サブフレーム３１０−ｂおよび３１０−ｃにおいてＳＡ送信３３０を送信し得る。例えば、第１および第２のＳＡ送信のサブフレーム３１０間の関係は、基地局によって半静的に（semi-statically）シグナリングされ得、または特定され得る。同様に、例えば、第１および第２のＳＡ送信のために使用される周波数リソース３１５間の関係は、基地局によって半静的にシグナリングされ、またはチャネル帯域に基づいて特定され得る。よって、サブフレーム３１０間、および／または周波数リソース３１５間の関係は、所定の関係に従って、Ｄ２Ｄ  ＵＥによって識別され得る。図３の例が、特定されたＳＡ時間リソース期間を提供しない場合、受信機ＵＥは、第１のＳＡ送信と第２のＳＡ送信とを区別しないことがある。上述されたように、いくつかの例では、第１のＳＡ送信は、周波数リソース３１５のサブセット上で生じ得、第２のＳＡ送信は、周波数リソース３１５の異なるサブセット上で生じ得る。例えば、第１のＳＡ送信は、周波数リソース３１５の前半上で生じ得、他方、第２のＳＡ送信は、周波数リソース３１５の後半上で生じ得る。別の例は、第１のＳＡ送信が偶数のＲＢ上で生じ得、他方、第２のＳＡ送信は奇数のＲＢ上で生じ得ることである。第１のＵＥのＳＡ送信３２５に続いて、第１のＵＥデータ３３５は、第１のＵＥ  ＳＡ送信３２５における情報に従って送信され得る。同様に、第２のＵＥのＳＡ送信３３０に続いて、第２のＵＥデータ３４０は、第２のＵＥ  ＳＡ送信３３０における情報に従って送信され得る。上述されたように、ＵＥは、初期のＳＡ送信のための時間リソース３２０のうちの任意のものを選択することができるので、レイテンシは、低減され得る。さらに、２つのＵＥが所与のＳＡサブフレーム上で送信する可能性が低減されるので、送信上のデータ衝突の可能性もまた、低減される。
【００３９】
[0046]ＵＥがＳＡを送信すると、Ｄ２Ｄデータ送信は、送信され得る。いくつかの例では、ＳＡ送信３２５、３３０は、ビットマップ（例えば、Ｔ−ＲＰＴビットマップ）を含み得、それは、Ｄ２Ｄデータ送信を含むサブフレームを示し得る。いくつかの例では、Ｄ２Ｄデータの送信は、最後のＳＡ送信に続くサブフレーム３１０で開始し得る。他の例では、Ｄ２Ｄデータの送信は、ＳＡ送信の最後のサブフレームに続くオフセットの後に開始し得る。そのようなオフセットは、ＳＡ送信自身の一部として含まれ得、または特定されたオフセットであり得る。いくつかの例では、ビットマップの各ビットは、サブフレームに対応し得、ビットマップにおける論理１（logical one）は、Ｄ２Ｄデータ送信が生じることとなることを示し得、他方、論理０（logical zero）はＤ２Ｄ送信がないことを示し得る。いくつかの例では、ＳＡ送信はまた、Ｄ２Ｄデータの多数の送信を示し得る。例えば、ＳＡ送信は、Ｄ２Ｄデータが４回送信されることとなることを示し得る。ビットマップが、Ｄ２Ｄデータ送信の全てを示すのに十分なサブフレームについての情報を提供しない場合に、ビットマップ送信は、ターゲットの数の送信が達成されるように、十分な回数繰り替えされ得る。例えば、ビットマップパターンが００００１０１０であり、送信の数が、４である場合、ビットマップパターンは、２回繰り返され得る。Ｄ２ＤデータおよびＳＡ送信の両方が同じ時間リソースを占め得る場合、ＳＡ送信およびＤ２Ｄデータ送信が衝突し得る事例があり得る。いくつかの例では、Ｄ２Ｄ  ＵＥは、他のＤ２Ｄ  ＵＥのＳＡ送信をモニタリングし得る。Ｄ２Ｄ  ＵＥは、他のＵＥからのＳＡ送信を復号し得、使用されたデータ送信および潜在的な第２のＳＡ送信であるようにスケジューリングされる将来のサブフレームを決定し得る。Ｄ２Ｄ  ＵＥは、ＳＡおよびデータを送信するためにそのリソースを選択するとき、既にスケジューリングされているそれらのリソースを避けるように試み得る。
【００４０】
[0047]図４は、本開示の様々な態様に従った、Ｄ２Ｄ通信におけるＳＡ送信のための処理フロー４００の例を例示する。処理フロー４００は、第１のＵＥ１１５−ｄおよび第２のＵＥ１１５−ｅを含み得、それは、図１−３を参照して説明されたＵＥ１１５の例であり得る。いくつかの例では、ＵＥ１１５のうちの１つのようなシステムデバイスは、以下で説明される機能のいくつかまたは全てを行うために、デバイスの機能的要素（functional elements）を制御するためのコードの１つまたは複数のセットを実行し得る。
【００４１】
[0048]４０５において、第１のＵＥ１１５−ｄは、第２のＵＥ１１５−ｅにＳＡメッセージを送信し得る。ＳＡメッセージは、Ｄ２Ｄデータ通信に関連付けられ得る。ＳＡメッセージは、Ｄ２Ｄデータ通信のために、タイミングコンポーネント、周波数コンポーネント、ＭＣＳコンポーネント、および類似のもののインジケーションを伝達し得る。例えば、上述されたように、ＳＡメッセージは、Ｔ−ＲＰＴと呼ばれるフィールド（送信の時間領域リソースパターン）を含み得る。Ｔ−ＲＰＴフィールドは、Ｄ２Ｄデータ送信のために使用されることとなるサブフレームを示すビットマップにマッピングされる数字（number）であり得る。したがって、第２のＵＥ１１５−ｅは、ＳＡメッセージを受信し、Ｄ２Ｄデータ通信をどのように正常に復号すべきか、および／またはどこで見るべきかを知り得る。
【００４２】
[0049]４１０において、第１のＵＥ１１５−ｄは、第２のＵＥ１１５−ｅにＤ２Ｄデータ通信を送信し得る。Ｄ２Ｄデータ通信は、ＳＡメッセージに示されるように、ＳＡメッセージに従って、例えば、周波数上で、その時に、ＭＣＳを使用して、等で送信され得る。いくつかの例では、Ｄ２Ｄデータ通信は、サブフレームのセットにおいて送信され得る。サブフレームのセットは、サブフレームの複数のグループまたは、１つのグループを含み得る。いくつかの例では、サブフレームのセット中のサブフレームのグループは、シーケンシャルであり得る。
【００４３】
[0050]図４に例示される例は、ＳＡメッセージおよびＤ２Ｄデータ通信を第２のＵＥ１１５−ｅに送信する第１のＵＥ１１５−ｄを示すけれども、ＳＡメッセージおよび／またはＤ２Ｄデータ通信の送信は、１つより多いＵＥ１１５が同時に送信を受信し得るように、ブロードキャストまたはマルチキャストされ得る、ことが理解されるべきである。
【００４４】
[0051]図５は、本開示の様々な態様に従った、Ｄ２Ｄ通信におけるＳＡ送信のための処理フロー５００の例を例示する。処理フロー５００は、第１のＵＥ１１５−ｆおよび第２のＵＥ１１５−ｇを含み得、それは、図１−４を参照して説明されたＵＥ１１５の例であり得る。
【００４５】
[0052]ブロック５０５における第１のＵＥ１１５−ｆは、ＳＡ送信のための時間リソースを選択し得る。時間リソースを選択するとき、第１のＵＥ１１５−ｆは、時間リソースのブロック全体から、ＳＡを送信するための時間リソースのサブセットを選択し得る。次いで、第１のＵＥ１１５−ｆは、時間リソースのブロックとＳＡ送信との間の所定の関係を識別し得る。所定の関係は、ＳＡ送信のために使用された様々なパラメータを提供し得る。次いで、ブロック５１０において、第１のＵＥ１１５−ｆは、例えば上述されたような方法で、ＳＡ送信のための周波数リソースを識別し得る。次いで、第１のＵＥ１１５−ｆは、第１のＳＡメッセージ５１５を第２のＵＥ１１５−ｇに送信し得る。上述されたように、いくつかの例では、複数のＳＡ送信は、異なる時間および／または周波数リソースを使用して、送信され得、第１のＵＥ１１５−ｆは、第２のＳＡメッセージ５２０を第２のＵＥ１１５−ｇに送信し得る。複数のＳＡ送信は、ＳＡ送信と時間リソースのブロックとの間の所定の関係に従って、送信され得る。例えば、第２のＳＡメッセージ５２０は、第１のＳＡメッセージ５１５の再送信であり得る。いくつかの例では、第１のＳＡメッセージ５１５および第２のＳＡメッセージ５２０は、Ｄ２Ｄデータ送信５２５のために使用されることとなる、ＳＡ送信に続く時間リソースを示すビットマップを含み得る。いくつかの例では、ビットマップは、第２のＳＡメッセージ５２０に続く第１のサブフレームに適用される。いくつかの例では、ビットマップは、定義された数のビットを備え、ビットマップの送信は、送信の数がビットマップにおいて識別された時間リソースを超えて拡張するとき、繰り返され得る。いくつかの例では、ビットマップは、Ｄ２Ｄデータ５２５を送信するために使用されることとなる送信の開始のために第２のＳＡメッセージ５２０の後オフセットを適用する。
【００４６】
[0053]第１のＵＥ１１５−ｆは、将来のＳＡメッセージを送信するために時間リソースを選択することが、他のＳＡ送信によって示されるリソース以外のリソースを選択することを含むように、ブロック５３０において示されるように、他のＤ２Ｄデバイスの他のＳＡ送信を検出し得る。いくつかの例では、Ｄ２Ｄデータ送信およびＳＡ送信は、Ｖ２Ｖ通信である。所定の関係は、他のＳＡ送信に基づき得、例えば、ＳＡ送信は、衝突を避けるように選択され得る。
【００４７】
[0054]図６は、本開示の様々な態様に従った、Ｄ２Ｄ通信におけるＳＡ送信のために構成されたワイヤレスデバイス６００のブロック図を示す。ワイヤレスデバイス６００は、図１−５を参照して説明されたＵＥ１１５の態様の例であり得る。ワイヤレスデバイス６００は、受信機６０５、Ｄ２Ｄ通信マネジャ（manager）６１０、または送信機６１５を含み得る。ワイヤレスデバイス６００はまた、プロセッサを含み得る。これらのコンポーネントの各々は、互いと通信状態にあり得る。
【００４８】
[0055]受信機６０５は、様々な情報チャネル（例えば、制御チャネル、データチャネル、およびＤ２Ｄ通信でのＳＡ送信に関する情報、等）に関連付けられたパケット、ユーザデータ、または制御情報のような情報を受信し得る。情報は、Ｄ２Ｄ通信マネジャ６１０に、およびワイヤレスデバイス６００の他のコンポーネントに伝えられ得る。
【００４９】
[0056]Ｄ２Ｄ通信マネジャ６１０は、Ｄ２Ｄデータ送信およびＳＡ送信のための時間リソースのブロックを識別し、周期的ＳＡ送信がない場合、時間リソースのブロックとＳＡ送信との間の所定の関係を識別し、時間リソースのブロック全体から、ＳＡを送信するための時間リソースのサブセットを選択し、時間リソースのサブセットを使用しておよび所定の関係に従ってＳＡ送信を送信し得る。
【００５０】
[0057]送信機６１５は、ワイヤレスデバイス６００の他のコンポーネントから受信された信号を送信し得る。いくつかの例では、送信機６１５は、トランシーバモジュールにおいて受信機６０５と共に配置され得る。送信機６１５は、単一のアンテナを含み得るか、または、それは、複数のアンテナを含み得る。
【００５１】
[0058]図７は、本開示の様々な態様に従った、Ｄ２Ｄ通信におけるＳＡ送信のためのワイヤレスデバイス７００のブロック図を示す。ワイヤレスデバイス７００は、図１−６を参照して説明されたワイヤレスデバイス６００またはＵＥ１１５の態様の例であり得る。ワイヤレスデバイス７００は、受信機６０５−ａ、Ｄ２Ｄ通信マネジャ６１０−ａ、または送信機６１５−ａを含み得る。ワイヤレスデバイス７００はまた、プロセッサを含み得る。これらのコンポーネントの各々は、互いと通信状態にあり得る。Ｄ２Ｄ通信マネジャ６１０−ａはまた、Ｄ２Ｄリソースマネジャ７０５およびＳＡマネジャ７１０を含み得る。
【００５２】
[0059]受信機６０５−ａは、Ｄ２Ｄ通信マネジャ６１０−ａに、およびワイヤレスデバイス７００の他のコンポーネントに伝えられ得る情報を受信し得る。Ｄ２Ｄ通信マネジャ６１０−ａは、図６を参照して説明された動作を行い得る。送信機６１５−ａは、ワイヤレスデバイス７００の他のコンポーネントから受信された信号を送信し得る。
【００５３】
[0060]Ｄ２Ｄリソースマネジャ７０５は、図２−５を参照して説明されたように、Ｄ２Ｄデータ送信およびＳＡ送信のための時間リソースのブロックを識別し、周期的ＳＡ送信がない場合、時間リソースのブロックとＳＡ送信との間の所定の関係を識別し得る。Ｄ２Ｄリソースマネジャ７０５はまた、Ｄ２Ｄデータ送信およびＳＡ送信のための周波数リソースのセットを識別し、ＳＡを送信するための周波数リソースのサブセットを選択し得、それは、周波数リソースのセットの定義されたセグメント内に位置し得る。いくつかの例では、周波数リソースのサブセットは、第１のＳＡ送信を送信するための周波数リソースの第１のサブセット、および第２のＳＡ送信を送信するための周波数リソースの第２のサブセットを備える。いくつかの例では、周波数リソースの第２のサブセットは、周波数リソースの第１のサブセットと周波数リソースの第２のセットとの間の定義された関係に少なくとも部分的に基づいて決定され得る。いくつかの例では、周波数リソースのセットは、複数の周波数サブ帯域を備え、周波数リソースの第１のサブセットは、複数の周波数サブ帯域の第１のサブセットに位置し、周波数リソースの第２のサブセットは、複数の周波数サブ帯域の第１のサブセットとは異なり得る複数の周波数サブ帯域の第２のサブセットに位置する。いくつかの例では、周波数リソースのセットは、複数のリソースブロックを備え、周波数リソースの第１のサブセットは、複数のリソースブロックの第１のサブセットに位置し、周波数リソースの第２のサブセットは、複数のリソースブロックの第１のサブセットとは異なり得る複数のリソースブロックの第２のサブセットに位置する。いくつかの例では、周波数リソースの第１のサブセットは、偶数番号を付されたリソースブロックに位置し、周波数リソースの第２のサブセットは、奇数番号を付されたリソースブロックに位置する。
【００５４】
[0061]ＳＡマネジャ７１０は、図２−５を参照して説明されたように、時間リソースのブロック全体から、ＳＡを送信するための時間リソースのサブセットを選択し、および時間リソースのサブセットを使用して、および所定の関係に従って、ＳＡ送信を送信し得る。ＳＡマネジャ７１０はまた、周波数リソースの第１のサブセットを使用して第１のＳＡ送信を送信し得る。ＳＡマネジャ７１０はまた、周波数リソースの第２のサブセットを使用して第２のＳＡ送信を送信し得る。いくつかの例では、第２のＳＡ送信は、第１のＳＡ送信の再送信であり得る。ＳＡマネジャ７１０はまた、ＳＡを送信し得、ここにおいて、ＳＡは、Ｄ２Ｄデータ送信のために使用されることとなる、ＳＡ送信に続く時間リソースを示すビットマップを含む。いくつかの例では、ビットマップは、最後のＳＡ送信に続く第１のサブフレームに適用される。いくつかの例では、ビットマップは、定義された数のビットを備え、ビットマップの送信は、送信の数がビットマップにおいて識別された時間リソースを超えて拡張するとき、繰り返され得る。いくつかの例では、ビットマップは、Ｄ２Ｄデータを送信するために使用されることとなる送信の開始のために最後のＳＡ送信の後オフセットを適用する。いくつかの例では、ＳＡは、Ｄ２Ｄデータの送信の数を示し、ビットマップは、Ｄ２Ｄデータの送信の各々についての時間リソースを示す。いくつかの例では、所定の関係は、他のＳＡ送信によって示されたリソースに基づき得、基地局によってシグナリングされ得、またはその両方であり得る。
【００５５】
[0062]図８は、本開示の様々な態様に従った、Ｄ２Ｄ通信におけるＳＡ送信のためのワイヤレスデバイス６００またはワイヤレスデバイス７００のコンポーネントであり得るＤ２Ｄ通信マネジャ６１０−ｂのブロック図８００を示す。Ｄ２Ｄ通信マネジャ６１０−ｂは、図６−７を参照して説明されたＤ２Ｄ通信マネジャ６１０の態様の例であり得る。Ｄ２Ｄ通信マネジャ６１０−ｂは、Ｄ２Ｄリソースマネジャ７０５−ａおよびＳＡマネジャ７１０−ａを含み得る。これらのモジュールの各々は、図７を参照して説明された機能を行い得る。Ｄ２Ｄ通信マネジャ６１０−ｂはまた、ＳＡモニタリングマネジャ８０５を含み得る。
【００５６】
[0063]ＳＡモニタリングマネジャ８０５は、少なくとも１つのＤ２Ｄ  ＵＥの他のＳＡ送信を検出し得、ここにおいて、ＳＡを送信するための時間リソースのサブセットを選択することは、図２−５を参照して説明されたように、他のＳＡ送信によって示されるリソース以外のリソースを選択することを備える。いくつかの例では、所定の関係は、他のＳＡ送信に基づき得る。Ｄ２Ｄ通信マネジャ６１０−ｂは、図２−５を参照して説明されたように、Ｄ２Ｄデータ送信およびＳＡ送信が、Ｖ２Ｖ通信であるように構成され得る。
【００５７】
[0064]図９は、本開示の様々な態様に従った、Ｄ２Ｄ通信におけるＳＡ送信のために構成されたＵＥ１１５−ｈを含むシステム９００の図を示す。システム９００は、ＵＥ１１５−ｈを含み得、それは、図１−８を参照して説明されたワイヤレスデバイス６００、ワイヤレスデバイス７００、またはＵＥ１１５の例であり得る。ＵＥ１１５−ｈは、Ｄ２Ｄ通信マネジャ９１０を含み得、それは、図６−８を参照して説明されたＤ２Ｄ通信マネジャ６１０の例であり得る。ＵＥ１１５−ｈはまた、ワイヤレスネットワーク通信マネジャ９２５を含み得る。ＵＥ１１５−ｈはまた、通信を送信するためのコンポーネントおよび通信を受信するためのコンポーネントを含む、双方向の音声およびデータ通信のためのコンポーネントを含み得る。例えば、ＵＥ１１５−ｈは、ＵＥ１１５−ｉまたは基地局１０５−ａと双方向で通信し得る。
【００５８】
[0065]ＵＥ１１５−ｈはまた、プロセッサ９０５、およびメモリ９１５（ソフトウェア（ＳＷ）を含む）９２０、トランシーバ９３５、および１つまたは複数のアンテナ９４０を含み得、それらの各々は、（例えば、バス９４５を介して）互いに間接的または直接的に通信し得る。トランシーバ９３５は、上述されたように、１つまたは複数のネットワークと、アンテナ９４０またはワイヤードもしくはワイヤレスリンクを介して双方向に通信し得る。例えば、トランシーバ９３５は、基地局１０５または別のＵＥ１１５と双方向に通信し得る。トランシーバ９３５は、パケットを変調し、変調されたパケットを送信のためのアンテナ９４０に提供するための、およびアンテナ９４０から受信されたパケットを復調するためのモデムを含み得る。ＵＥ１１５−ｈは、単一のアンテナ９４０を含み得る一方、ＵＥ１１５−ｈはまた、複数のワイヤレス送信を同時に送信または受信することができる複数のアンテナ９４０を有し得る。
【００５９】
[0066]メモリ９１５は、ランダムアクセスメモリ（ＲＡＭ）および読取専用メモリ（ＲＯＭ）を含み得る。メモリ９１５は、実行されたとき、プロセッサ９０５に、ここで説明される様々な機能（例えば、デバイス間通信におけるスケジューリング割り当て送信、等）を行わせる命令を含む、コンピュータ読み取り可能な、コンピュータ実行可能なソフトウェア／ファームウェアコード９２０を記憶し得る。代替的に、ソフトウェア／ファームウェアコード９２０は、プロセッサ９０５によって直接的に実行可能でないことがあるが、（例えば、コンパイルおよび実行されたとき）コンピュータに、ここで説明される機能を行わせ得る。プロセッサ９０５は、インテリジェントハードウェアデバイス（例えば、セントラルプロセシングユニット（ＣＰＵ）、マイクロコントローラ、特定用途向け集積回路（ＡＳＩＣ）、等）を含み得る。
【００６０】
[0067]ワイヤレスデバイス６００、ワイヤレスデバイス７００、ＵＥ１１５−ｈ、およびＤ２Ｄ通信マネジャ６１０のコンポーネントは、ハードウェアにおける適用可能な機能のいくつかまたは全てを行うように適合された少なくとも１つのＡＳＩＣで個別にまたは集合的に実施され得る。代替的に、機能は、少なくとも１つのＩＣ上で、１つまたは複数の他の処理ユニット（または、コア）によって行われ得る。他の例では、他のタイプの集積回路（例えば、構造化（Structured）／プラットフォームＡＳＩＣ、フィールドプログラマブルゲートアレイ（ＦＰＧＡ）、または別のセミカスタムＩＣ）が使用され得、それらは、当該技術で既知の任意の方法でプログラムされ得る。各ユニットの機能はまた、１つまたは複数の汎用または特定用途向けのプロセッサによって実行されるようにフォーマット化された、メモリ内に具現化された命令で、全体的または部分的に実施され得る。
【００６１】
[0068]図１０は、本開示の様々な態様に従った、Ｄ２Ｄ通信におけるＳＡ送信のための方法１０００を例示するフローチャートを示す。方法１０００の動作は、図１−９を参照して説明されたように、ＵＥ１１５、ワイヤレスデバイス６００、またはワイヤレスデバイス７００、あるいはそのコンポーネントによって実施され得る。例えば、方法１０００の動作は、図６−９を参照して説明されたように、Ｄ２Ｄ通信マネジャ６１０によって行われ得る。いくつかの例において、ＵＥ１１５は、以下に説明される機能を行うようにＵＥ１１５の機能的要素を制御するためのコードのセットを実行し得る。追加的または代替的に、ＵＥ１１５は、専用ハードウェアを使用して、以下に説明される機能、態様を行い得る。
【００６２】
[0069]ブロック１００５において、ＵＥ１１５は、図２−５を参照して説明されたように、Ｄ２Ｄデータ送信およびＳＡ送信のための時間リソースのブロックを識別し得る。ある特定の例では、ブロック１００５の動作は、図７を参照して説明されたように、Ｄ２Ｄリソースマネジャ７０５によって行われ得る。
【００６３】
[0070]ブロック１０１０において、ＵＥ１１５は、図２−５を参照して説明されたように、時間リソースのブロック全体から、ＳＡを送信するための時間リソースのサブセットを選択し得る。ある特定の例では、ブロック１０１０の動作は、図７を参照して説明されたように、ＳＡマネジャ７１０によって行われ得る。
【００６４】
[0071]図１１は、本開示の様々な態様に従った、Ｄ２Ｄ通信におけるＳＡ送信のための方法１１００を例示するフローチャートを示す。方法１１００の動作は、図１−９を参照して説明されたように、ワイヤレスデバイス６００、ワイヤレスデバイス７００、ＵＥ１１５、またはそのコンポーネントによって実施され得る。例えば、方法１１００の動作は、図６−９を参照して説明されたように、Ｄ２Ｄ通信マネジャ６１０によって行われ得る。いくつかの例では、ＵＥ１１５は、以下に説明される機能を行うようにＵＥ１１５の機能的要素を制御するためのコードのセットを実行し得る。追加的または代替的に、ＵＥ１１５は、専用ハードウェアを使用して、以下に説明される機能、態様を行い得る。方法１１００はまた、図１０の方法１０００の態様を組み込み得る。
【００６５】
[0072]ブロック１１０５において、ＵＥ１１５は、図２−５を参照して説明されたように、Ｄ２Ｄデータ送信およびＳＡ送信のための時間リソースのブロックを識別し得る。ある特定の例では、ブロック１１０５の動作は、図７を参照して説明されたように、Ｄ２Ｄリソースマネジャ７０５によって行われ得る。
【００６６】
[0073]ブロック１１１０において、ＵＥ１１５は、図２−５を参照して説明されたように、時間リソースのブロック全体から、ＳＡを送信するための時間リソースのサブセットを選択し得る。ある特定の例では、ブロック１１１０の動作は、図７を参照して説明されたように、ＳＡマネジャ７１０によって行われ得る。
【００６７】
[0074]ブロック１１１５において、ＵＥ１１５は、図２−５を参照して説明されたように、第１のＳＡ送信を送信するための周波数リソースの第１のサブセット、および第２のＳＡ送信を送信するための周波数リソースの第２のサブセットを含む周波数リソースのサブセットを識別し得る。ある特定の例では、ブロック１１１５の動作は、図７を参照して説明されたように、ＳＡマネジャ７１０によって行われ得る。
【００６８】
[0075]ブロック１１２０において、ＵＥ１１５は、図２−５を参照して説明されたように、周波数リソースの第１のサブセットを使用して第１のＳＡ送信を送信し得る。ある特定の例では、ブロック１１２０の動作は、図７を参照して説明されたように、ＳＡマネジャ７１０によって行われ得る。
【００６９】
[0076]ブロック１１２５において、ＵＥ１１５は、図２−５を参照して説明されたように、周波数リソースの第２のサブセットを使用して第２のＳＡ送信を送信し得る。ある特定の例では、ブロック１１２５の動作は、図７を参照して説明されたように、ＳＡマネジャ７１０によって行われ得る。
【００７０】
[0077]図１２は、本開示の様々な態様に従った、Ｄ２Ｄ通信におけるＳＡ送信のための方法１２００を例示するフローチャートを示す。方法１２００の動作は、図１−９を参照して説明されたように、ワイヤレスデバイス６００、ワイヤレスデバイス７００、およびＵＥ１１５、またはそのコンポーネントによって実施され得る。例えば、方法１２００の動作は、図６−９を参照して説明されたように、Ｄ２Ｄ通信マネジャ６１０によって行われ得る。いくつかの例では、ＵＥ１１５は、以下に説明される機能を行うようにＵＥ１１５の機能的要素を制御するためのコードのセットを実行し得る。追加的または代替的に、ＵＥ１１５は、専用ハードウェアを使用して、以下に説明される機能、態様を行い得る。方法１２００はまた、図１０−１１の方法１０００および１１００の態様を組み込み得る。
【００７１】
[0078]ブロック１２０５において、ＵＥ１１５は、図２−５を参照して説明されたように、Ｄ２Ｄデータ送信およびＳＡ送信のための時間リソースのブロックを識別し得る。ある特定の例では、ブロック１２０５の動作は、図７を参照して説明されたように、Ｄ２Ｄリソースマネジャ７０５によって行われ得る。
【００７２】
[0079]ブロック１２１０において、ＵＥ１１５は、図２−５を参照して説明されたように、時間リソースのブロック全体から、ＳＡを送信するための時間リソースのサブセットを選択し得る。ある特定の例では、ブロック１２１０の動作は、図７を参照して説明されたように、ＳＡマネジャ７１０によって行われ得る。
【００７３】
[0080]ブロック１２１５において、ＵＥ１１５は、図２−５を参照して説明されたように、ＳＡを送信し得、ここにおいて、ＳＡは、Ｄ２Ｄデータ送信のために使用されることとなる、ＳＡ送信に続く時間リソースを示すビットマップを含む。ある特定の例では、ブロック１２１５の動作は、図７を参照して説明されたように、ＳＡマネジャ７１０によって行われ得る。
【００７４】
[0081]図１３は、本開示の様々な態様に従った、Ｄ２Ｄ通信におけるＳＡ送信のための方法１３００を例示するフローチャートを示す。方法１３００の動作は、図１−９を参照して説明されたように、ワイヤレスデバイス６００、ワイヤレスデバイス７００、ＵＥ１１５、またはそのコンポーネントによって実施され得る。例えば、方法１３００の動作は、図６−９を参照して説明されたように、Ｄ２Ｄ通信マネジャ６１０によって行われ得る。いくつかの例では、ＵＥ１１５は、以下に説明される機能を行うようにＵＥ１１５の機能的要素を制御するためのコードのセットを実行し得る。追加的または代替的に、ＵＥ１１５は、専用ハードウェアを使用して、以下に説明される機能、態様を行い得る。方法１３００はまた、図１０−１２の方法１０００、１１００、および１２００の態様を組み込み得る。
【００７５】
[0082]ブロック１３０５において、ＵＥ１１５は、図２−５を参照して説明されたように、Ｄ２Ｄデータ送信およびＳＡ送信のための時間リソースのブロックを識別し得る。ある特定の例では、ブロック１３０５の動作は、図７を参照して説明されたように、Ｄ２Ｄリソースマネジャ７０５によって行われ得る。
【００７６】
[0083]ブロック１３１０において、ＵＥ１１５は、図２−５を参照して説明されたように、時間リソースのブロック全体から、ＳＡを送信するための時間リソースのサブセットを選択し得る。ある特定の例では、ブロック１３１０の動作は、図７を参照して説明されたように、ＳＡマネジャ７１０によって行われ得る。
【００７７】
[0084]ブロック１３１５において、ＵＥ１１５は、少なくとも１つのＤ２Ｄ  ＵＥの他のＳＡ送信を検出し得、ここにおいて、ＳＡを送信するための時間リソースのサブセットを選択することは、図２−５を参照して説明されたように、他のＳＡ送信によって示されるリソース以外のリソースを選択することを備える。ある特定の例では、ブロック１３１５の動作は、図８を参照して説明されたように、ＳＡモニタリングマネジャ８０５によって行われ得る。
【００７８】
[0085]図１４は、本開示の様々な態様に従った、Ｄ２Ｄ通信におけるＳＡ送信のための方法１４００を例示するフローチャートを示す。方法１４００の動作は、図１−９を参照して説明されたように、ワイヤレスデバイス６００、ワイヤレスデバイス７００、ＵＥ１１５、またはそのコンポーネントによって実施され得る。例えば、方法１４００の動作は、図６−９を参照して説明されたように、Ｄ２Ｄ通信マネジャ６１０によって行われ得る。いくつかの例では、ＵＥ１１５は、以下に説明される機能を行うようにＵＥ１１５の機能的要素を制御するためのコードのセットを実行し得る。追加的または代替的に、ＵＥ１１５は、専用ハードウェアを使用して、以下に説明される機能、態様を行い得る。方法１４００はまた、図１０−１３の方法１０００、１１００、１２００、および１３００の態様を組み込み得る。
【００７９】
[0086]ブロック１４０５において、ＵＥ１１５は、図２−５を参照して説明されたように、Ｄ２Ｄデータ送信およびＳＡ送信のための時間リソースのブロックを識別し得る。ある特定の例では、ブロック１４０５の動作は、図７を参照して説明されたように、Ｄ２Ｄリソースマネジャ７０５によって行われ得る。
【００８０】
[0087]ブロック１４１０において、ＵＥ１１５は、図２−５を参照して説明されたように、周期的ＳＡ送信がない場合、時間リソースのブロックとＳＡ送信との間の所定の関係を識別し得る。ある特定の例では、ブロック１４１０の動作は、図７を参照して説明されたように、Ｄ２Ｄリソースマネジャ７０５によって行われ得る。
【００８１】
[0088]ブロック１４１５において、ＵＥ１１５は、図２−５を参照して説明されたように、時間リソースのブロック全体から、ＳＡを送信するための時間リソースのサブセットを選択し得る。ある特定の例では、ブロック１３１０の動作は、図７を参照して説明されたように、ＳＡマネジャ７１０によって行われ得る。
【００８２】
[0089]ブロック１４２０において、ＵＥ１１５は、図２−５を参照して説明されたように、時間リソースのサブセットを使用して、および所定の関係に従って、ＳＡ送信を送信し得る。ある特定の例では、ブロック１４２０の動作は、図８を参照して説明されたように、ＳＡモニタリングマネジャ８０５によって行われ得る。
【００８３】
[0090]よって、方法１０００、１１００、１２００、１３００および１４００は、デバイス間通信においてスケジューリング割り当て送信を提供し得る。方法１０００-１４００が可能な実施を説明していること、ならびに、動作およびステップが、他の実施が可能になるように並べ替えられ得るか、またはそうでなければ修正され得ることが留意されるべきである。いくつかの例では、方法１０００-１４００のうちの２つ以上からの態様が組み合わせられ得る。
【００８４】
[0091]ここでの説明は例を提供し、特許請求の範囲において記載される範囲、適用性、または例を限定するものではない。変更が、本開示の範囲から逸脱することなく、説明される要素の機能および配置において成され得る。様々な例は、適宜、様々なプロシージャまたはコンポーネントを、省略、置換、または追加し得る。また、いくつかの例に関して説明される特徴は、他の例において組み合わせられ得る。
【００８５】
[0092]ここで説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムのために使用され得る。「システム」および「ネットワーク」という用語は、交換可能に用いられることが多い。符号分割多元接続（ＣＤＭＡ）システムは、ＣＤＭＡ２０００、ユニバーサル地上無線アクセス（ＵＴＲＡ）、等のような無線技術を実施し得る。ＣＤＭＡ２０００は、ＩＳ−２０００、ＩＳ−９５、およびＩＳ−８５６規格をカバーする。IＳ−２０００リリース０およびＡは、通例、ＣＤＭＡ２０００  １Ｘ、１Ｘ、等と呼ばれる。ＩＳ−８５６（ＴＩＡ−８５６）は、通例、ＣＤＭＡ２０００  １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。時分割多元接続（ＴＤＭＡ）システムは、モバイル通信のためのグローバルシステム（ＧＳＭ（登録商標））のような無線技術を実施し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等、のような無線技術を実施し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびロングタームエボリューション（ＬＴＥ）−アドバンスド（ＬＴＥ−ａ）は、Ｅ−ＵＴＲＡを使用するユニバーサルモバイル電気通信システム（ＵＭＴＳ）の新リリースである。ＵＴＲＡ、Ｅ−ＵＴＲＡ、ユニバーサルモバイル電気通信システム（ＵＭＴＳ）、ＬＴＥ、ＬＴＥ−ａ、およびモバイル通信のためのグローバルシステム（ＧＳＭ）は、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）と呼ばれる団体からの文書に説明されている。ここで説明される技法は、他のシステムおよび無線技術と同様に、上述されたシステムおよび無線技術のために使用され得る。しかしながら、ここでの説明は、例のために、ＬＴＥシステムを説明しており、ＬＴＥという専門用語は、上記の説明のほとんどにおいて使用されているが、技法はＬＴＥアプリケーションを超えて適用可能である。
【００８６】
[0093]ここで説明されるそのようなネットワークを含む、ＬＴＥ／ＬＴＥ−ａネットワークでは、発展型ノードＢ（ｅＮＢ）という用語は、一般に、基地局を説明するために使用され得る。ワイヤレス通信システムまたはここで説明されるシステムは、異なるタイプの発展型ノードＢ（ｅＮＢ）が様々な地理的領域にカバレッジを提供する異機種ＬＴＥ／ＬＴＥ−ａネットワークを含み得る。例えば、各ｅＮＢまたは基地局は、マクロセル、スモールセル、または他のタイプのセルに通信カバレッジを提供し得る。「セル」という用語は、コンテクストに依存して、基地局、基地局に関連付けられたキャリアもしくはコンポーネントキャリア（component carrier）、またはキャリアもしくは基地局のカバレッジエリア（例えば、セクタ、等）を説明するために使用されることができる、３ＧＰＰ（登録商標）の用語である。
【００８７】
[0094]基地局は、当業者によって、トランシーバ基地局、無線基地局、アクセスポイント、無線トランシーバ、ノードＢ、ｅノードＢ（ｅＮＢ）、ホームノードＢ、ホームｅノードＢ、または他の何らかの適切な用語で呼ばれ得、またはそれらを含み得る。基地局についての地理的カバレッジエリアは、カバレッジエリアの一部のみを構成するセクタに分割され得る。ワイヤレス通信システムまたはここで説明されるシステムは、異なるタイプの基地局（例えば、マクロまたはスモールセル基地局）を含み得る。ここで説明されるＵＥは、マクロｅＮＢ、スモールセルｅＮＢ、中継基地局、および同様のものを含む、様々なタイプの基地局およびネットワーク機器と通信することができ得る。異なる技術に関して、オーバーラップする地理的カバレッジエリアが存在し得る。
【００８８】
[0095]マクロセルは、一般に、相対的に広い地理的エリア（例えば、半径数キロメートル）をカバーし、ネットワークプロバイダにサービス加入しているＵＥによる制限のないアクセスを可能にし得る。スモールセルは、マクロセルと同じまたは異なる（例えば、ライセンスされた、アンライセンスの、等の）周波数帯域において動作し得る、マクロセルと比較して、より低い電力の基地局である。スモールセルは、様々な例に従って、ピコセル、フェムトセル、およびマイクロセルを含み得る。例えば、ピコセルは、小さい地理的エリアをカバーし得、ネットワークプロバイダにサービス加入しているＵＥによる無制限アクセスを可能にし得る。フェムトセルはまた、小さい地理的エリア（例えば、家）をカバーし得、フェムトセルとの関連を有するＵＥ（例えば、クローズド加入者グループ（closed subscriber group）（ＣＳＧ）中のＵＥ、家の中のユーザのためのＵＥ、および同様のもの）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、等）のセル（例えば、コンポーネントキャリア）をサポートし得る。ＵＥは、マクロｅＮＢ、スモールセルｅＮＢ、中継基地局、および同様のものを含む、様々なタイプの基地局およびネットワーク機器と通信することができ得る。
【００８９】
[0096]ワイヤレス通信システムまたはここで説明されるシステムは、同期または非同期動作をサポートし得る。同期動作について、基地局は、同様のフレームタイミングを有し得、異なる基地局からの送信は、時間的に近似的に整列され得る。非同期動作について、基地局は、異なるフレームタイミングを有し得、異なる基地局からの送信は、時間的に整列されないことがある。ここで説明される技法は、同期または非同期動作のいずれかのために使用され得る。
【００９０】
[0097]ここで説明されるダウンリンク送信は、順方向リンク送信とも呼ばれ得、他方でアップリンク送信は、逆方向リンク送信とも呼ばれ得る。例えば、図１および２のワイヤレス通信システム１００および２００を含む、ここで説明される各通信リンクは、１つまたは複数のキャリアを含み得、ここで、各キャリアは、複数のサブキャリア（例えば、異なる周波数の波形信号）から成る信号であり得る。各変調信号は、異なるサブキャリア上で送られ得、制御情報（例えば、基準信号、制御チャネル、等）、オーバヘッド情報、ユーザデータ、等を搬送し得る。ここで説明される通信リンク（例えば、図１の通信リンク１２５）は、（例えば、ペアのスペクトルリソース（paired spectrum resources）を使用する）周波数分割複信（ＦＤＤ）または（例えば、ペアでないスペクトルリソース（unpaired spectrum resources）を使用する）時間分割複信（ＴＤＤ）動作を使用して、双方向通信を送信し得る。フレーム構造は、周波数分割複信（ＦＤＤ）（例えば、フレーム構造タイプ１）およびＴＤＤ（例えば、フレーム構造タイプ２）について定義され得る。
【００９１】
[0098]添付の図面に関連して、ここに記載された説明は、例となる構成を説明し、実施され得る、または特許請求の範囲内にある全ての例を表さない。ここで使用される「実例的な」という用語は、「好ましい」または「他の例に対して有利である」ということではなく、「例、事例、または例示としての役目をする」を意味する。詳細な説明は、説明された技法の理解を提供する目的で、特定の詳細を含む。しかしながら、これらの技法は、これらの特定の詳細なしに実践され得る。いくつかの事例では、周知の構造およびデバイスは、説明された例の概念を曖昧にしないように、ブロック図形式で示される。
【００９２】
[0099]添付の図面では、同様のコンポーネントまたは特徴は、同じ参照ラベルを有し得る。さらに、同じタイプの様々なコンポーネントは、参照ラベルに、ダッシュと、同様のコンポーネント同士を区別する第２のラベルとを続けることによって区別され得る。本明細書において第１の参照ラベルのみが使用されている場合、第２の参照ラベルに関係なく同じ第１の参照ラベルを有する同様のコンポーネントのいずれか１つに、本説明が適用可能である。
【００９３】
[0100]ここで説明される情報および信号は、様々な異なる技術および技法のうちの任意のものを使用して表わされ得る。例えば、上記説明の全体を通して参照され得るデータ、命令、コマンド、情報、信号、ビット、シンボル、およびチップは、電圧、電流、電磁波、磁場もしくは磁性粒子、光場もしくは光粒子、またはこれらの任意の組み合わせによって表わされ得る。
【００９４】
[0101]ここでの開示に関連して説明される様々な例示的なブロックおよびモジュールは、汎用プロセッサ、デジタルシグナルプロセッサ（ＤＳＰ）、ＡＳＩＣ、ＦＰＧＡまたは他のプログラマブル論理デバイス、個別ゲートまたはトランジスタロジック、個別ハードウェアコンポーネント、またはここで説明される機能を行うように設計された、それらの任意の組み合わせを用いて実施または行われ得る。汎用プロセッサは、マイクロプロセッサであり得るが、代替として、プロセッサは、任意の従来のプロセッサ、コントローラ、マイクロコントローラ、またはステートマシン（state machine）であり得る。プロセッサはまた、コンピューティングデバイスの組み合わせ（例えば、デジタルシグナルプロセッサ（ＤＳＰ）とマイクロプロセッサとの組み合わせ、複数のマイクロプロセッサ、ＤＳＰコアに連結した１つまたは複数のマイクロプロセッサ、または他の任意のそのような構成）として実施され得る。
【００９５】
[0102]ここで説明される機能は、ハードウェア、プロセッサによって実行されるソフトウェア、ファームウェア、またはそれらの任意の組み合わせで実施され得る。プロセッサによって実行されるソフトウェアで実施される場合、機能は、コンピュータ読み取り可能な媒体上で、１つ以上の命令またはコードとして記憶または送信され得る。他の例および実施は、本開示および添付の特許請求の範囲内にある。例えば、ソフトウェアの本質により、上記に説明された機能は、プロセッサによって実行されるソフトウェア、ハードウェア、ファームウェア、ハードワイヤリング、またはこれらの任意のものの組み合わせを使用して実施されることができる。機能を実施する特徴はまた、機能の部分が、異なる物理的ロケーションにおいて実施されるように分散されることを含めて、様々なポジションに物理的に位置し得る。また、特許請求の範囲を含み、ここで使用されるように、項目のリスト（例えば、「のうちの少なくとも１つ」または「のうちの１つまたは複数」のようなフレーズで始まる項目のリスト）において使用される「または／もしくは」は、例えば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、包括的なリストを示す。
【００９６】
[0103]コンピュータ読み取り可能な媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされることができる任意の利用可能な媒体であり得る。限定ではなく、例として、非一時的なコンピュータ読み取り可能な媒体は、ＲＡＭ、ＲＯＭ、電気的に消去可能でプログラム可能な読み取り専用メモリ（ＥＥＰＲＯＭ）（登録商標）、コンパクトディスク（ＣＤ）ＲＯＭもしくは他の光学ディスク記憶装置、磁気ディスク記憶装置もしくは他の磁気記憶デバイス、または、命令もしくはデータ構造の形態で所望のプログラムコード手段を記憶もしくは搬送するために使用されることができ、および、汎用もしくは専用コンピュータ、または汎用もしくは専用プロセッサによってアクセスされることができる、任意の他の非一時的な媒体を備えることができる。また、任意の接続は、コンピュータ読み取り可能な媒体と厳密には称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、デジタル加入者回線（ＤＳＬ）、または赤外線、無線、およびマイクロ波のようなワイヤレス技術は、媒体の定義に含まれる。ディスク（disk）およびディスク（disc）は、ここで使用される場合、ＣＤ、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ここで、ディスク（disk）は通常、磁気的にデータを再生するが、ディスク（disc）は、レーザーを用いて光学的にデータを再生する。上記の組み合わせはまた、コンピュータ読み取り可能な媒体の範囲内に含まれる。
【００９７】
[0104]ここでの説明は、当業者が本開示を製造または使用することを可能にするように提供される。本開示への様々な修正は、当業者にとって容易に明らかであり、ここで定義された一般的な原理は、本開示の範囲から逸脱することなく、他のバリエーションに適用され得る。よって、本開示は、ここで説明される例および設計に限定されるべきではなく、ここで開示された原理および新規な特徴と一致する最も広い範囲を与えられることとなる。
以下に本願の出願当初の特許請求の範囲に記載された発明を付記する。
［Ｃ１］  ワイヤレス通信のための方法であって、
デバイス間（Ｄ２Ｄ）データ送信およびスケジューリング割り当て（ＳＡ）送信のための時間リソースのブロックを識別することと、
周期的ＳＡ送信がない場合、時間リソースの前記ブロックと前記ＳＡ送信との間の所定の関係を識別することと、
時間リソースの前記ブロック全体から、ＳＡを送信するための前記時間リソースのサブセットを選択することと、
前記時間リソースの前記サブセットを使用して、および前記所定の関係に従って、前記ＳＡ送信を送信することと、
を備える、方法。
［Ｃ２］  前記Ｄ２Ｄデータ送信および前記ＳＡ送信のための周波数リソースのセットを識別することと、
前記ＳＡを送信するための前記周波数リソースのサブセットを選択することとをさらに備え、ここにおいて、前記周波数リソースの前記サブセットは、周波数リソースの前記セットの定義されたセグメント内に位置する、Ｃ１に記載の方法。
［Ｃ３］  周波数リソースの前記サブセットは、第１のＳＡ送信を送信するための周波数リソースの第１のサブセット、および第２のＳＡ送信を送信するための周波数リソースの第２のサブセットを備える、Ｃ２に記載の方法。
［Ｃ４］  周波数リソースの前記第１のサブセットを使用して、前記第１のＳＡ送信を送信することと、
周波数リソースの前記第２のサブセットを使用して、前記第２のＳＡ送信を送信することと
をさらに備える、Ｃ３に記載の方法。
［Ｃ５］  前記第２のＳＡ送信は、前記第１のＳＡ送信の再送信である、Ｃ４に記載の方法。
［Ｃ６］  周波数リソースの前記第２のサブセットは、周波数リソースの前記第１のサブセットと周波数リソースの前記第２のサブセットとの間の定義された関係に基づいて決定される、Ｃ３に記載の方法。
［Ｃ７］  周波数リソースの前記セットは、複数の周波数サブ帯域を備え、周波数リソースの前記第１のサブセットは、前記複数の周波数サブ帯域の第１のサブセットに位置し、周波数リソースの前記第２のサブセットは、前記複数の周波数サブ帯域の前記第１のサブセットとは異なる前記複数の周波数サブ帯域の第２のサブセットに位置する、Ｃ３に記載の方法。
［Ｃ８］  周波数リソースの前記セットは、複数のリソースブロックを備え、周波数リソースの前記第１のサブセットは、前記複数のリソースブロックの第１のサブセットに位置し、周波数リソースの前記第２のサブセットは、前記複数のリソースブロックの前記第１のサブセットとは異なる前記複数のリソースブロックの第２のサブセットに位置する、Ｃ３に記載の方法。
［Ｃ９］  周波数リソースの前記第１のサブセットは、偶数番号を付されたリソースブロックに位置し、周波数リソースの前記第２のサブセットは、奇数番号を付されたリソースブロックに位置する、Ｃ８に記載の方法。
［Ｃ１０］  前記ＳＡは、前記Ｄ２Ｄデータ送信のために使用されることとなる、前記ＳＡ送信に続く時間リソースを示すビットマップを含む、Ｃ１に記載の方法。
［Ｃ１１］  前記ビットマップは、最後のＳＡ送信に続く第１のサブフレームに適用される、Ｃ１０に記載の方法。
［Ｃ１２］  前記ビットマップは、定義された数のビットを備え、前記ビットマップの送信は、送信の数が前記ビットマップにおいて識別された時間リソースを超えて拡張するとき、繰り返される、Ｃ１１に記載の方法。
［Ｃ１３］  前記ビットマップは、前記Ｄ２Ｄデータを送信するために使用されることとなる送信の開始のために最後のＳＡ送信の後オフセットを適用する、Ｃ１０に記載の方法。
［Ｃ１４］  前記ＳＡは、前記Ｄ２Ｄデータの送信の数を示し、前記ビットマップは、前記Ｄ２Ｄデータの前記送信の各々について時間リソースを示す、Ｃ１０に記載の方法。
［Ｃ１５］  少なくとも１つのＤ２Ｄユーザ機器（ＵＥ）の他のＳＡ送信を検出することをさらに備え、
ここにおいて、前記ＳＡを送信するための前記時間リソースの前記サブセットを選択することは、前記他のＳＡ送信によって示されるリソース以外のリソースを選択することを備える、Ｃ１に記載の方法。
［Ｃ１６］  時間リソースの前記ブロックと前記ＳＡ送信との間の前記所定の関係を識別することは、前記他のＳＡ送信によって示される前記リソースに少なくとも部分的に基づく、Ｃ１５に記載の方法。
［Ｃ１７］  時間リソースの前記ブロックと前記ＳＡ送信との間の前記所定の関係は、基地局によってシグナリングされる、Ｃ１に記載の方法。
［Ｃ１８］  前記Ｄ２Ｄデータ送信およびＳＡ送信は、車車間（Ｖ２Ｖ）通信である、Ｃ１に記載の方法。
［Ｃ１９］  ワイヤレス通信のための装置であって、
デバイス間（Ｄ２Ｄ）データ送信およびスケジューリング割り当て（ＳＡ）送信のための時間リソースのブロックを識別するための手段と、
周期的ＳＡ送信がない場合、時間リソースの前記ブロックと前記ＳＡ送信との間の所定の関係を識別するための手段と、
時間リソースの前記ブロック全体から、ＳＡを送信するための前記時間リソースのサブセットを選択するための手段と、
時間リソースの前記サブセットを使用して、および前記所定の関係に従って、前記ＳＡ送信を送信するための手段と
を備える、装置。
［Ｃ２０］  前記Ｄ２Ｄデータ送信および前記ＳＡ送信のための周波数リソースのセットを識別するための手段と、
前記ＳＡを送信するための前記周波数リソースのサブセットを選択するための手段とをさらに備え、ここにおいて、前記周波数リソースの前記サブセットは、周波数リソースの前記セットの定義されたセグメント内に位置する、Ｃ１９に記載の装置。
［Ｃ２１］  周波数リソースの前記サブセットは、第１のＳＡ送信を送信するための周波数リソースの第１のサブセット、および第２のＳＡ送信を送信するための周波数リソースの第２のサブセットを備える、Ｃ２０に記載の装置。
［Ｃ２２］  周波数リソースの前記第１のサブセットを使用して前記第１のＳＡ送信を送信するための手段と、
周波数リソースの前記第２のサブセットを使用して前記第２のＳＡ送信を送信するための手段と
をさらに備える、Ｃ２１に記載の装置。
［Ｃ２３］  前記第２のＳＡ送信は、前記第１のＳＡ送信の再送信である、Ｃ２２に記載の装置。
［Ｃ２４］  周波数リソースの前記第２のサブセットは、周波数リソースの前記第１のサブセットと周波数リソースの前記第２のサブセットとの間の所定の関係に基づいて決定される、Ｃ２１に記載の装置。
［Ｃ２５］  周波数リソースの前記セットは、複数の周波数サブ帯域を備え、周波数リソースの前記第１のサブセットは、前記複数の周波数サブ帯域の第１のサブセットに位置し、周波数リソースの前記第２のサブセットは、前記複数の周波数サブ帯域の前記第１のサブセットとは異なる前記複数の周波数サブ帯域の第２のサブセットに位置する、Ｃ２１に記載の装置。
［Ｃ２６］  周波数リソースの前記セットは、複数のリソースブロックを備え、周波数リソースの前記第１のサブセットは、前記複数のリソースブロックの第１のサブセットに位置し、周波数リソースの前記第２のサブセットは、前記複数のリソースブロックの前記第１のサブセットとは異なる前記複数のリソースブロックの第２のサブセットに位置する、Ｃ２１に記載の装置。
［Ｃ２７］  周波数リソースの前記第１のサブセットは、偶数番号を付されたリソースブロックに位置し、周波数リソースの前記第２のサブセットは、奇数番号を付されたリソースブロックに位置する、Ｃ２６に記載の装置。
［Ｃ２８］  前記ＳＡは、前記Ｄ２Ｄデータ送信のために使用されることとなる、前記ＳＡ送信に続く時間リソースを示すビットマップを含む、Ｃ１９に記載の装置。
［Ｃ２９］  前記ビットマップは、最後のＳＡ送信に続く第１のサブフレームに適用される、Ｃ２８に記載の装置。
［Ｃ３０］  前記ビットマップは、定義された数のビットを備え、前記ビットマップの送信は、送信の数が前記ビットマップにおいて識別された時間リソースを超えて拡張するとき、繰り返される、Ｃ２９に記載の装置。
［Ｃ３１］  前記ビットマップは、前記Ｄ２Ｄデータを送信するために使用されることとなる送信の開始のために最後のＳＡ送信の後オフセットを適用する、Ｃ２８に記載の装置。
［Ｃ３２］  前記ＳＡは、前記Ｄ２Ｄデータの送信の数を示し、前記ビットマップは、前記Ｄ２Ｄデータの前記送信の各々についての時間リソースを示す、Ｃ２８に記載の装置。
［Ｃ３３］  少なくとも１つのＤ２Ｄユーザ機器（ＵＥ）の他のＳＡ送信を検出するための手段をさらに備え、
ここにおいて、前記ＳＡを送信するための前記時間リソースの前記サブセットを選択するための前記手段は、前記他のＳＡ送信によって示されるリソース以外のリソースを選択するための手段を備える、Ｃ１９に記載の装置。
［Ｃ３４］  時間リソースの前記ブロックと前記ＳＡ送信との間の前記所定の関係を識別するための前記手段は、前記他のＳＡ送信によって示された前記リソースに少なくとも部分的に基づいて、時間リソースの前記ブロックと前記ＳＡ送信との間の前記所定の関係を識別するための手段を含む、Ｃ３３に記載の装置。
［Ｃ３５］  時間リソースの前記ブロックと前記ＳＡ送信との間の前記所定の関係は、基地局によってシグナリングされる、Ｃ１９に記載の装置。
［Ｃ３６］  前記Ｄ２Ｄデータ送信およびＳＡ送信は、車車間（Ｖ２Ｖ）通信である、Ｃ１９に記載の装置。
［Ｃ３７］  通信のための装置であって、
プロセッサと、
前記プロセッサと電子通信状態にあるメモリと、
前記メモリに記憶された命令とを備え、ここにおいて、前記命令は、前記プロセッサによって、
デバイス間（Ｄ２Ｄ）データ送信およびスケジューリング割り当て（ＳＡ）送信のための時間リソースのブロックを識別することと、
周期的ＳＡ送信がない場合、時間リソースの前記ブロックと前記ＳＡ送信との間の所定の関係を識別することと、
時間リソースの前記ブロック全体から、ＳＡを送信するための前記時間リソースのサブセットを選択することと、
前記時間リソースの前記サブセットを使用して、および前記所定の関係に従って前記ＳＡ送信を送信することと
を行うように実行可能である、装置。
［Ｃ３８］  ワイヤレス通信のためのコードを記憶する非一時的なコンピュータ読み取り可能な媒体であって、前記コードは、デバイス間（Ｄ２Ｄ）データ送信およびスケジューリング割り当て（ＳＡ）送信のための時間リソースのブロックを識別することと、
周期的ＳＡ送信がない場合、時間リソースの前記ブロックと前記ＳＡ送信との間の所定の関係を識別することと、
時間リソースの前記ブロック全体から、ＳＡを送信するための前記時間リソースのサブセットを選択することと、
前記時間リソースの前記サブセットを使用して、および前記所定の関係に従って、前記ＳＡ送信を送信することと
を行うように実行可能である命令を備える、非一時的なコンピュータ読み取り可能な媒体。
【図１】
0006783809.tif 000002
【図２】
0006783809.tif 000003
【図３】
0006783809.tif 000004
【図４】
0006783809.tif 000005
【図５】
0006783809.tif 000006
【図６】
0006783809.tif 000007
【図７】
0006783809.tif 000008
【図８】
0006783809.tif 000009
【図９】
0006783809.tif 000010
【図１０】
0006783809.tif 000011
【図１１】
0006783809.tif 000012
【図１２】
0006783809.tif 000013
【図１３】
0006783809.tif 000014
【図１４】
0006783809.tif 000015